(57)【要約】ある観点によれば、無線通信システムの一つ以上のネットワークノードは、無線通信システムにおいて動作する無線デバイスに、ＭＲＳ設定情報を送信するが、ＭＲＳ設定情報は複数のＭＲＳ設定のそれぞれについての一つ以上のパラメータを特定する。ネットワークノードは、無線デバイスに対して、ＭＲＳ設定の少なくとも第一の一つが無線デバイスによって使用されるべきことを示すアクティベーションコマンドを続いて送信するが、アクティベーションコマンドは、複数のＭＲＳ設定のうちからのＭＲＳ設定の第一の一つを識別するインデックスを有する。無線デバイスはＭＲＳ設定情報とアクティベーションコマンドとを受信する。無線デバイスは、アクティベーションコマンドを受信したことに応じて、ＭＲＳの第一の一つによって特定された少なくとも一つのＭＲＳをサーチし、少なくとも一つのＭＲＳ上で少なくとも一回の測定を実行する。
2019528010.tif 000002
【特許請求の範囲】
【請求項１】
無線通信システムの一つ以上のネットワークノード（３０）における方法（４００）であって、前記方法（４００）は、
前記無線通信システムにおいて動作する無線デバイス（５０）に対して、モビリティまたは測定リファレンス信号（ＭＲＳ）設定情報を送信することであって、前記ＭＲＳ設定情報は、複数のＭＲＳ設定のそれぞれについての一つ以上のパラメータを特定するものである、送信すること（４０２）と、
前記無線デバイス（５０）に対して、前記ＭＲＳ設定の少なくとも第一の一つが前記無線デバイス（５０）によって使用されるべきことを示すアクティベーションコマンドを続いて送信することであって、前記アクティベーションコマンドは、前記複数のＭＲＳ設定のうちからの前記ＭＲＳ設定の前記第一の一つを識別するインデックスを有する、送信すること（４０４）と、を有する、方法。
【請求項２】
請求項１に記載の方法（４００）であって、前記ＭＲＳ設定情報を送信すること（４０２）は、無線リソース設定（ＲＲＣ）プロトコルを使用することで実行され、前記アクティベーションコマンドを送信すること（４０４）は媒体アクセス制御（ＭＡＣ）プロトコルを使用して実行される、方法。
【請求項３】
請求項１または２に記載の方法（４００）であって、前記ＭＲＳ設定情報を送信すること（４０２）は、前記アクティベーションコマンドを送信するものとは異なるネットワークノードによって実行される、方法。
【請求項４】
請求項１ないし３のいずれか一項に記載の方法（４００）であっては、さらに、前記無線デバイス（５０）に対して、前記無線デバイス（５０）が前記ＭＲＳ設定の前記第二の一つを使用することを停止すべきことを示すディアクティベーションコマンドを送信することを有し、前記ディアクティベーションコマンドは、前記複数のＭＲＳ設定のうちからの前記ＭＲＳ設定の第二の一つを識別するインデックスを有する、方法。
【請求項５】
請求項１ないし４のいずれか一項に記載の方法（４００）であって、さらに、前記無線デバイス（５０）から、前記一つ以上のネットワークノード（３０）のうちの一つにおいて、前記ＭＲＳ設定の前記第一の一つによって特定されたＭＲＳについての測定データを有する測定報告を受信することを有する、方法。
【請求項６】
請求項１ないし５のいずれか一項に記載の方法（４００）であって、前記ＭＲＳ設定の前記第一の一つは、前記無線デバイス（５０）によって測定されるべきである複数のＭＲＳを特定しており、各ＭＲＳはＭＲＳ識別情報に対応している、方法。
【請求項７】
請求項６に記載の方法（４００）であって、各ＭＲＳ識別情報は予め定められたＭＲＳシーケンスに対応している、方法。
【請求項８】
請求項１ないし７のいずれか一項に記載の方法（４００）であって、前記ＭＲＳ設定の前記第一の一つは、サーチ空間識別情報を特定しており、前記サーチ空間識別情報は、前記ＭＲＳ設定の前記第一の一つによって特定されるＭＲＳの測定を実行するときに、前記無線デバイス（５０）によって使用されるべきである複数の送信リソース領域の一つを示している、方法。
【請求項９】
請求項１ないし８のいずれか一項に記載の方法（４００）であって、前記ＭＲＳ設定の前記第一の一つは、測定ギャップと測定周期とのうちの一つ以上を特定する、方法。
【請求項１０】
無線通信システムにおいて動作する無線デバイス（５０）における方法（６００）であって、前記方法（６００）は、
前記無線通信システムにおけるネットワークノード（３０）から、モビリティまたは測定リファレンス信号（ＭＲＳ）設定情報を受信することであって、前記ＭＲＳ設定情報は、複数のＭＲＳ設定のそれぞれについての一つ以上のパラメータを特定するものである、受信すること（６０２）と、
前記無線通信システムにおけるネットワークノードから、前記ＭＲＳ設定の少なくとも第一の一つが前記無線デバイス（５０）によって使用されるべきことを示すアクティベーションコマンドを続いて受信することであって、前記アクティベーションコマンドは、前記複数のＭＲＳ設定のうちからの前記ＭＲＳ設定の前記第一の一つを識別するインデックスを有する、受信すること（６０４）と、
前記アクティベーションコマンドを受信したことに応答して前記ＭＲＳ設定の前記第一の一つによって特定された少なくとも一つのＭＲＳをサーチすること（６０６）と、
前記少なくとも一つのＭＲＳで少なくとも一回の測定を実行すること（６０８）と、を有する、方法。
【請求項１１】
請求項１０に記載の方法（６００）であって、前記ＭＲＳ設定情報を受信すること（６０２）は、無線リソース設定（ＲＲＣ）プロトコルを使用することで実行され、前記アクティベーションコマンドを受信すること（６０４）は媒体アクセス制御（ＭＡＣ）プロトコルを使用して実行される、方法。
【請求項１２】
請求項１０または１１に記載の方法（６００）であって、前記ＭＲＳ設定情報を受信すること（６０２）は、前記アクティベーションコマンドを受信するものとは異なるネットワークノードからのものである、方法。
【請求項１３】
請求項１０ないし１２のいずれか一項に記載の方法（６００）であって、さらに、
前記無線デバイス（５０）が前記ＭＲＳ設定の第二の一つを使用することを停止すべきことを示すディアクティベーションコマンドを受信することを有し、前記ディアクティベーションコマンドは、前記複数のＭＲＳ設定のうちからの前記ＭＲＳ設定の前記第二の一つを識別するインデックスを有する、受信することと、
前記ＭＲＳ設定の前記第二の一つによって特定される少なくとも一つのＭＲＳの測定を中止すること、を有する、方法。
【請求項１４】
請求項１０ないし１３のいずれか一項に記載の方法（６００）であって、前記方法（６００）は、さらに、前記ＭＲＳ設定の前記第一の一つによって特定されたＭＲＳについての測定データを有する測定報告を送信することを有する、方法。
【請求項１５】
請求項１０ないし１４のいずれか一項に記載の方法（６００）は、前記ＭＲＳ設定の前記第一の一つは、前記無線デバイス（５０）によって測定されるべきである複数のＭＲＳを特定しており、各ＭＲＳはＭＲＳ識別情報に対応している、方法。
【請求項１６】
請求項１０ないし１５のいずれか一項に記載の方法（６００）であって、前記ＭＲＳ設定の前記第一の一つは、サーチ空間識別情報を特定しており、前記サーチ空間識別情報は、前記ＭＲＳ設定の前記第一の一つによって特定されるＭＲＳの測定を実行するときに、前記無線デバイス（５０）によって使用されるべきである複数の送信リソース領域の一つを示しており、前記ＭＲＳ設定の前記第一の一つによって特定される前記少なくとも一つＭＲＳのサーチ（６０６）は、前記示された送信リソース領域を使用して実行される、方法。
【請求項１７】
請求項１０ないし１６のいずれか一項に記載の方法（６００）であって、前記ＭＲＳ設定の前記第一の一つは、測定ギャップと測定周期とのうちの一つ以上を特定する、方法。
【請求項１８】
無線通信システムにおける一つ以上のネットワークノード（３０）の構成（１０）であって、請求項１ないし９のいずれか一つに記載の方法（４００）を実行するように適合した、構成。
【請求項１９】
無線通信システムにおける一つ以上のネットワークノード（３０）の構成（１０）であって、前記一つ以上のネットワークノード（３０）のそれぞれは、
前記無線通信システムにおいて動作する無線デバイス（５０）と通信するように構成された通信回路（３６）と、
前記通信回路（３６）と動作的に関連付けられた処理回路（３２）と、を有し、
前記一つ以上のネットワークノード（３０）の一つ以上の処理回路（３０）は、
前記無線デバイス（５０）に対して、モビリティまたは測定リファレンス信号（ＭＲＳ）設定情報を送信することであって、前記ＭＲＳ設定情報は、複数のＭＲＳ設定のそれぞれについての一つ以上のパラメータを特定するものである、送信することと、
前記無線デバイス（５０）に対して、前記ＭＲＳ設定の少なくとも第一の一つが前記無線デバイス（５０）によって使用されるべきことを示すアクティベーションコマンドを続いて送信することであって、前記アクティベーションコマンドは、前記複数のＭＲＳ設定のうちからの前記ＭＲＳ設定の前記第一の一つを識別するインデックスを有する、送信することと、を実行するように構成されている、構成。
【請求項２０】
請求項１９に記載の構成（１０）であって、前記一つ以上の処理回路（３２）は、無線リソース設定（ＲＲＣ）プロトコルを使用することで前記ＭＲＳ設定情報を送信し、媒体アクセス制御（ＭＡＣ）プロトコルを使用して前記アクティベーションコマンドを送信するように構成されている、構成。
【請求項２１】
請求項１９または２０に記載の構成（１０）であって、前記一つ以上の処理回路（３２）の一つは、前記ＭＲＳ設定情報を送信するように構成されており、前記一つ以上の処理回路（３２）の他の一つは、前記アクティベーションコマンドを送信するように構成されている、構成。
【請求項２２】
請求項１９ないし２１のいずれか一項に記載の構成（１０）であって、前記一つ以上の処理回路（３２）は、前記無線デバイス（５０）に対して、前記無線デバイス（５０）が前記ＭＲＳ設定の第二の一つを使用することを停止すべきことを示すディアクティベーションコマンドを送信するように構成されており、前記ディアクティベーションコマンドは、前記複数のＭＲＳ設定のうちからの前記ＭＲＳ設定の第二の一つを識別するインデックスを有する、構成。
【請求項２３】
請求項１９ないし２２のいずれか一項に記載の構成（１０）であって、前記一つ以上の処理回路（３２）は、前記無線デバイス（５０）から、前記ＭＲＳ設定の前記第一の一つによって特定されたＭＲＳについての測定データを有する測定報告を受信するように構成されている、構成。
【請求項２４】
請求項１９ないし２３のいずれか一項に記載の構成（１０）であって、前記ＭＲＳ設定の前記第一の一つは、前記無線デバイス（５０）によって測定されるべきである複数のＭＲＳを特定しており、各ＭＲＳはＭＲＳ識別情報に対応している、構成。
【請求項２５】
請求項２４に記載の構成（１０）であって、各ＭＲＳ識別情報は予め定められたＭＲＳシーケンスに対応している、構成。
【請求項２６】
請求項１９ないし２５のいずれか一項に記載の構成（１０）であって、前記ＭＲＳ設定の前記第一の一つは、サーチ空間識別情報を特定しており、前記サーチ空間識別情報は、前記ＭＲＳ設定の前記第一の一つによって特定されるＭＲＳの測定を実行するときに、前記無線デバイス（５０）によって使用されるべきである複数の送信リソース領域の一つを示している、構成。
【請求項２７】
請求項１９ないし２６のいずれか一項に記載の構成（１０）であって、前記ＭＲＳ設定の前記第一の一つは、測定ギャップと測定周期とのうちの一つ以上を特定する、構成。
【請求項２８】
無線通信システムの無線デバイス（５０）であって、請求項１０ないし１７のいずれか一つに記載の方法（６００）を実行するように適合した、無線デバイス。
【請求項２９】
無線通信システムの無線デバイス（５０）であって、
前記無線通信システムにおいて動作する一つ以上のネットワークノード（３０）と通信するように構成された通信回路（５６）と、
前記通信回路（５６）と動作的に関連付けられた処理回路（５２）であって、
ネットワークノード（３０）から、モビリティまたは測定リファレンス信号（ＭＲＳ）設定情報を受信することであって、前記ＭＲＳ設定情報は、複数のＭＲＳ設定のそれぞれについての一つ以上のパラメータを特定するものである、受信することと、
前記無線通信システムにおけるネットワークノードから、前記ＭＲＳ設定の少なくとも第一の一つが前記無線デバイス（５０）によって使用されるべきことを示すアクティベーションコマンドを続いて受信することであって、前記アクティベーションコマンドは、前記複数のＭＲＳ設定のうちからの前記ＭＲＳ設定の前記第一の一つを識別するインデックスを有する、受信することと、  
前記アクティベーションコマンドを受信したことに応答して前記ＭＲＳ設定の前記第一の一つによって特定された少なくとも一つのＭＲＳをサーチすることと、
前記少なくとも一つのＭＲＳについて少なくとも一回の測定を実行することと、を実行するように構成された処理回路（５２）とを有する、無線デバイス。
【請求項３０】
請求項２９に記載の無線デバイス（５０）であって、前記処理回路（５２）は、無線リソース設定（ＲＲＣ）プロトコルを使用することで前記ＭＲＳ設定情報を受信し、媒体アクセス制御（ＭＡＣ）プロトコルを使用して前記アクティベーションコマンドを受信するように構成されている、無線デバイス。
【請求項３１】
請求項２９または３０に記載の無線デバイスであって、前記処理回路（５２）は、前記処理回路（５２）が前記アクティベーションコマンドを受信したネットワークノードとは異なるネットワークノードから前記ＭＲＳ設定情報を受信するように構成されている、無線デバイス。
【請求項３２】
請求項２９ないし３１のいずれか一項に記載の無線デバイス（５０）であって、前記処理回路（５２）は、
前記無線デバイス（５０）が前記ＭＲＳ設定の第二の一つを使用することを停止すべきことを示すディアクティベーションコマンドを受信し、前記ディアクティベーションコマンドは、前記複数のＭＲＳ設定のうちからの前記ＭＲＳ設定の前記第二の一つを識別するインデックスを有する、無線デバイス。
前記ＭＲＳ設定の前記第二の一つによって特定される少なくとも一つのＭＲＳの測定を中止する、ように構成されている、無線デバイス。
【請求項３３】
請求項２９ないし３２のいずれか一項に記載の無線デバイス（５０）であって、前記処理回路（５２）は、
前記ＭＲＳ設定の前記第一の一つによって特定されたＭＲＳについての測定データを有する測定報告を送信するように構成されている、無線デバイス。
【請求項３４】
請求項２９ないし３３のいずれか一項に記載の無線デバイス（５０）であって、前記ＭＲＳ設定の前記第一の一つは、前記無線デバイス（５０）によって測定されるべきである複数のＭＲＳを特定しており、各ＭＲＳはＭＲＳ識別情報に対応している、無線デバイス。
【請求項３５】
請求項２９ないし３４のいずれか一項に記載の無線デバイス（５０）であって、前記ＭＲＳ設定の前記第一の一つは、サーチ空間識別情報を特定しており、前記サーチ空間識別情報は、前記ＭＲＳ設定の前記第一の一つによって特定されるＭＲＳの測定を実行するときに、前記無線デバイス（５０）によって使用されるべきである複数の送信リソース領域の一つを示しており、前記処理回路（５２）は、前記示された送信リソース領域を使用して、前記ＭＲＳ設定の前記第一の一つによって特定される前記少なくとも一つＭＲＳをサーチするように構成されている、無線デバイス。
【請求項３６】
請求項２９ないし３５のいずれか一項に記載の無線デバイス（５０）であって、前記ＭＲＳ設定の前記第一の一つは、測定ギャップと測定周期とのうちの一つ以上を特定する、無線デバイス。
【請求項３７】
プログラムインストラクションを有するコンピュータプログラム（４６）を記憶した非一過性のコンピュータ可読記憶媒体（４４）であって、無線通信システムにおける構成（１０）の一つ以上のネットワークノード（３０）の少なくとも一つの処理回路（３２）によって実行されると、前記一つ以上のネットワークノード（３０）を、
前記無線通信システムにおける無線デバイス（５０）に対して、モビリティまたは測定リファレンス信号（ＭＲＳ）設定情報を送信することであって、前記ＭＲＳ設定情報は、複数のＭＲＳ設定のそれぞれについての一つ以上のパラメータを特定するものである、送信することと、
前記無線デバイス（５０）に対して、前記ＭＲＳ設定の少なくとも第一の一つが前記無線デバイス（５０）によって使用されるべきことを示すアクティベーションコマンドを続いて送信することであって、前記アクティベーションコマンドは、前記複数のＭＲＳ設定のうちからの前記ＭＲＳ設定の前記第一の一つを識別するインデックスを有する、送信することと、を実行させるように設定する、コンピュータ可読記憶媒体。
【請求項３８】
プログラムインストラクションを有するコンピュータプログラム（６６）を記憶した非一過性のコンピュータ可読記憶媒体（６４）であって、無線通信システムにおける無線デバイス（５０）の少なくとも一つの処理回路（５２）によって実行されると、前記無線デバイス（５０）を、
前記無線通信システムにおいて動作するネットワークノード（３０）から、モビリティまたは測定リファレンス信号（ＭＲＳ）設定情報を受信することであって、前記ＭＲＳ設定情報は、複数のＭＲＳ設定のそれぞれについての一つ以上のパラメータを特定するものである、受信することと、
前記無線通信システムにおけるネットワークノードから、前記ＭＲＳ設定の少なくとも第一の一つが前記無線デバイス（５０）によって使用されるべきことを示すアクティベーションコマンドを続いて受信することであって、前記アクティベーションコマンドは、前記複数のＭＲＳ設定のうちからの前記ＭＲＳ設定の前記第一の一つを識別するインデックスを有する、受信することと、
前記アクティベーションコマンドを受信したことに応答して前記ＭＲＳ設定の前記第一の一つによって特定された少なくとも一つのＭＲＳをサーチすることと、
前記少なくとも一つのＭＲＳについて少なくとも一回の測定を実行することと、を実行させるように設定する、コンピュータ可読記憶媒体。
【請求項３９】
処理回路（３２、５２）で実行されると前記処理回路（３２、５２）に請求項１ないし１７のいずれか一項に記載された方法を実行させるインストラクションを有する、コンピュータプログラム（４６、６６）。
【請求項４０】
請求項３９に記載されたコンピュータプログラムを含むキャリアであって、当該キャリアは、電気信号、光信号、無線信号またはコンピュータ可読記憶媒体の一つである、キャリア。
【請求項４１】
無線通信システムにおいて動作する一つ以上のネットワークノード（３０）の構成（１０）であって、前記構成（１０）は、
前記無線通信システムにおいて動作する無線デバイス（５０）に対して、モビリティまたは測定リファレンス信号（ＭＲＳ）設定情報を送信するＭＲＳ設定モジュール（８０２）であって、前記ＭＲＳ設定情報は、複数のＭＲＳ設定のそれぞれについての一つ以上のパラメータを特定するものである、ＭＲＳ設定モジュール（８０２）と、
前記無線デバイス（５０）に対して、前記ＭＲＳ設定の少なくとも第一の一つが前記無線デバイス（５０）によって使用されるべきことを示すアクティベーションコマンドを続いて送信するアクティベーションモジュール（８０４）であって、前記アクティベーションコマンドは、前記複数のＭＲＳ設定のうちからの前記ＭＲＳ設定の前記第一の一つを識別するインデックスを有する、送信するアクティベーションモジュール（８０４）と、を有する、構成。
【請求項４２】
無線通信システムにおいて動作する無線デバイス（５０）であって、
前記無線通信システムにおけるネットワークノード（３０）から、モビリティまたは測定リファレンス信号（ＭＲＳ）設定情報を受信するＭＲＳ設定モジュール（９０２）であって、前記ＭＲＳ設定情報は、複数のＭＲＳ設定のそれぞれについての一つ以上のパラメータを特定するものである、ＭＲＳ設定モジュール（９０２）と、
前記無線通信システムにおけるネットワークノードから、前記ＭＲＳ設定の少なくとも第一の一つが前記無線デバイス（５０）によって使用されるべきことを示すアクティベーションコマンドを続いて受信するアクティベーションモジュール（９０４）であって、前記アクティベーションコマンドは、前記複数のＭＲＳ設定のうちからの前記ＭＲＳ設定の前記第一の一つを識別するインデックスを有する、アクティベーションモジュール（９０４）と、
前記アクティベーションコマンドを受信したことに応答して前記ＭＲＳ設定の前記第一の一つによって特定サーチされた少なくとも一つのＭＲＳをサーチするサーチモジュール（９０６）と、
前記少なくとも一つのＭＲＳで少なくとも一回の測定を実行する測定モジュール（９０８）と、を有する、無線デバイス。
【発明の詳細な説明】
【技術分野】
【０００１】
本発明は一般に無線通信システムの一つ以上のネットワークノードにおける方法、無線通信システムに置いて動作する無線デバイスにおける方法、無線通信システムの一つ以上のネットワークノードの構成、および、無線通信システムの無線デバイスに関し、とりわけ、モビリティリファレンス信号または測定リファレンス信号の設定の効率的にハンドリングすることに関する。
【背景技術】
【０００２】
次世代（ＮＧ）アーキテクチャのための全体としての要件（ＴＲ  ２３．７９９、  Ｓｔｕｄｙ  ｏｎ  Ａｒｃｈｉｔｅｃｔｕｒｅ  ｆｏｒ  Ｎｅｘｔ  Ｇｅｎｅｒａｔｉｏｎ）、より具体的には、ＮＧアクセステクノロジー（ＴＲ  ３８．９１３、  Ｓｔｕｄｙ  ｏｎ  Ｓｃｅｎａｒｉｏｓ  ａｎｄ  Ｒｅｑｕｉｒｅｍｅｎｔｓ  ｆｏｒ  Ｎｅｘｔ  Ｇｅｎｅｒａｔｉｏｎ  Ａｃｃｅｓｓ  Ｔｅｃｈｎｏｌｏｇｉｅｓ）は、現在のロングタームエボリューション（ＬＴＥ）のモビリティソリューションと比較して、新しいＲＡＴ（ＮＲ）（ＲＰ−１６０６７１、  Ｎｅｗ  ＳＩＤ  Ｐｒｏｐｏｓａｌ：    Ｓｔｕｄｙ  ｏｎ  Ｎｅｗ  Ｒａｄｉｏ  Ａｃｃｅｓｓ  Ｔｅｃｈｎｏｌｏｇｙ、  ＤｏＣｏＭｏ）のためのアクティブモードモビリティソリューションに影響を与えるだろう。これらの要件のいくつかはネットワークエネルギーの効率化メカニズムをサポートすることの必要性と、将来の開発を見積もることの必要性と、非常にワイドレンジな周波数をサポートすることの必要性とを含む。
【０００３】
隣接セル関係（ＮＲ）ハンドオーバのコンテキストにおいて、ダイナミックなネットワークトリガード・モビリティリファレンス信号（ＭＲＳ）の測定とその報告、および／または、周期的なＭＲＳ測定、並びに、イベントベースでの報告（ＬＴＥと同様）をサポートするために、測定フレームワークが使用可能である。ＭＲＳは測定リファレンス信号の略称でもある。図１は、ダウンリンク測定ベースのハンドオーバのコンテキストにおける、ソースアクセスノード７０、ターゲットアクセスノード８０、およびユーザ装置（ＵＥ）５０を示している。通常の環境において、ユーザデータおよびＭＲＳ設定は、ＵＥ５０とソースアクセスノード７０との間で送受信されうる。図１の例におけるＭＲＳ設定のメッセージングは、ＲＲＣレベルまたはレベル３（Ｌ３）において実行される。ビームスイッチがトリガーされると、ＭＲＳ測定がＵＥ５０によって実行される。オプションとして、ＭＲＳ設定およびアクティブ測定コマンドは、ソースアクセスノード７０からＵＥ５０に送信される。ダウンリンクリファレンス信号の測定結果がＵＥ５０によってソースアクセスノード７０へ報告された後で、ハンドオーバ判定がソースアクセスノード７０によって実行される。そして、ソードアクセスノード７０から無線リソース制御（ＲＲＣ）コネクション・リコンフィギュレーション（再設定）・メッセージとして、ハンドオーバコマンドが送信されうる。ハンドオーバコマンドは、ターゲットアクセスノード８０からのアップリンクグラントメッセージによって黙示的に示されてもよい。
【０００４】
ＲＲＣリコンフィギュレーションメッセージの受信またはベストビーム検知に伴い、ＵＥ５０は、アップリンク同期信号（ＵＳＳ）を使用してターゲットアクセスノード８０にコンタクトすることで選択されたＵＳＳが検出されたベストビームを示すことが可能となるが、ここでＵＳＳはターゲットビーム／セル／ノードのＭＲＳシーケンスに結合されていてもよい。ＵＳＳはアップリンクタイミングリファレンスとして機能するが、これはＵＥ５０がアクセスノードを変更するときにアップリンク時間同期を必要とするからである。ＵＳＳはＬＴＥにおける物理ランダムアクセスチャネル（ＰＲＡＣＨ）プリアンブルと類似の設計を有しており、アップリンクタイミングアドバンス（ＴＡ）演算、アップリンク周波数オフセット推定およびアップリンクビーム識別のためのものである。ＵＳＳに対するレスポンスまたは後続のメッセージとして、ターゲットアクセスノード８０は、ターゲットアクセスノード８０とアップリンク同期を確立するために、ＴＡを含むアップリンクグラントを送信する。
【０００５】
ダウンリンク測定ベースのハンドオーバの代替案として、図２に示されたような同一の原理に依拠したアップリンク測定ベースのハンドオーバが提供されてもよいだろう。これは、オプションとしてＵＥ５０に対してＵＳＳ設定およびＵＳＳアクティベーションコマンドを送信するソースアクセスノード７０を関与させてもよい。ＵＳＳは、検出されたテストビームを示すために使用されたり、アップリンクリファレンスとして機能したりするために、使用されてもよい。ソースアクセスノード７０および／またはターゲットアクセスノード８０は、信号についての測定を実行し、ベストビームを決定する。さらに、このケースでは、ビームスイッチコマンドはＭＲＳであり、これはＵＳＳ設定メッセージにおいて示された時間／周波数リソース上で送信される。
【０００６】
しかしながら、これらの事例におけるＭＲＳ設定の現在における使用は最適化されたものでないことを認識すべきであり、なぜならＵＥ５０は常に設定されたＭＲＳのすべてを測定／報告することを必要とされてはいないからである。さらに、ＵＥ５０は、ＭＲＳの修正または設定ごとに、ＲＲＣレベルで再設定されるための十分な時間的に余裕を有していないかもしれない。
【発明の概要】
【０００７】
本発明の実施形態は、第五世代のネットワーク（５Ｇ）を含む、ＮＧネットワークに関連している。とりわけ、本実施形態は、ＭＲＳの設定を効率よく取り扱う方法に関連している。本実施形態は、２レベルのＭＲＳ設定により、より効率のよい、ＭＲＳ設定プロシージャとシグナリングとを提供する。２レベルのＭＲＳ設定は、一つ以上のネットワークノードが無線デバイスに対して複数のＭＲＳ設定情報を送信することと、その後に、当該ＭＲＳ設定のうちの一つを示すアクティベーションコマンドを送信することとを有する。効果があることには、ＭＲＳ設定情報は、複数のＭＲＳ設定のそれぞれについてのパラメータを特定する。アクティベーションコマンドは、複数のＭＲＳ設定のうちから第一の一つのＭＲＳ設定を識別するインデックスを有することによって、無線デバイスによって少なくとも第一の一つのＭＲＳ設定が使用されるべきであることを、示す。
【０００８】
いくつかの実施形態によれば、無線通信システムの一つ以上のネットワークノードにおける方法であって、無線通信システムにおいて動作する無線デバイスに対してＭＲＳ設定情報を送信することを有する。ＭＲＳ設定情報は、複数のＭＲＳ設定のそれぞれについての一つ以上のパラメータを特定する。本方法は、無線デバイスに対して、無線デバイスによって使用されるべきであるＭＲＳ設定の少なくとも第一の一つを示すアクティベーションコマンドを続いて送信する。アクティベーションコマンドは、複数のＭＲＳ設定のうちからＭＲＳ設定の第一の一つを識別するインデックスを有する。
【０００９】
いくつかの実施形態によれば、無線通信システムにおいて動作する無線デバイスにおける方法であって、無線通信システムにおけるネットワークノードからＭＲＳ設定情報を受信することを有する。ＭＲＳ設定情報は、複数のＭＲＳ設定のそれぞれについての一つ以上のパラメータを特定する。本方法は、無線デバイスによって使用されるべきであるＭＲＳ設定の少なくとも第一の一つを示すアクティベーションコマンドを、無線通信システムにおけるネットワークノードから、続いて受信することを有する。アクティベーションコマンドは、複数のＭＲＳ設定のうちからＭＲＳ設定の第一の一つを識別するインデックスを有する。本方法は、さらに、アクティベーションコマンドを受信したことに応じて、ＭＲＳ設定の第一の一つによって特定された少なくとも一つのＭＲＳをサーチすることと、少なくとも一つのＭＲＳ上で少なくとも一回の測定を実行することと、を有する。
【００１０】
いくつかの実施形態によれば、無線通信システムにおけるアレンジメント（構成）の一つ以上のネットワークノードのそれぞれは、無線デバイスと通信可能に構成された通信回路と、通信回路と動作的に関連付けられた処理回路とを有する。一つ以上のネットワークノードにおける一つ以上の処理回路は、無線通信システムにおいて動作する無線デバイスに対してＭＲＳ設定情報を送信するように構成されている。ＭＲＳ設定情報は、複数のＭＲＳ設定のそれぞれについての一つ以上のパラメータを特定する。一つ以上の処理回路は、無線デバイスに対して、無線デバイスによって使用されるべきであるＭＲＳ設定の少なくとも第一の一つを示すアクティベーションコマンドを続いて送信するように構成されている。アクティベーションコマンドは、複数のＭＲＳ設定のうちからＭＲＳ設定の第一の一つを識別するインデックスを有する。
【００１１】
いくつかの実施形態によれば、無線通信システムにおける無線デバイスは、ネットワークノードと通信可能に構成された通信回路と、通信回路と動作的に関連付けられた処理回路とを有する。処理回路は、無線通信システムにおけるネットワークノードから、ＭＲＳ設定情報を受信するように構成されている。ＭＲＳ設定情報は、複数のＭＲＳ設定のそれぞれについての一つ以上のパラメータを特定する。処理回路は、無線デバイスによって使用されるべきであるＭＲＳ設定の少なくとも第一の一つを示すアクティベーションコマンドを、無線通信システムにおけるネットワークノードから、続いて受信するように構成されている。アクティベーションコマンドは、複数のＭＲＳ設定のうちからＭＲＳ設定の第一の一つを識別するインデックスを有する。処理回路は、アクティベーションコマンドを受信したことに応じて、ＭＲＳ設定の第一の一つによって特定された少なくとも一つのＭＲＳをサーチし、少なくとも一つのＭＲＳ上で少なくとも一回の測定を実行するように構成されている。
【００１２】
本発明の他の観点は、上述の要約された方法および上記の要約されたネットワークノードおよび無線デバイスの機能的な実装に対応する、装置、コンピュータプログラムプロダクト、またはコンピュータ可読記憶媒体に関連している。もちろん、本発明は上記の特徴や利点にのみ限定されることはない。当業者であれば以下の詳細な説明を読み、添付の図面を見ることで追加の特徴や利点を理解するであろう。
【図面の簡単な説明】
【００１３】
【図１】ダウンリンク測定ベースのハンドオーバを示す図
【図２】アップリンク測定ベースのハンドオーバを示す図
【図３】本発明のいくつかの実施形態にしたがったネットワークノードのブロック図
【図４】いくつかの実施形態にしたがった例示的な方法を示すフローチャート
【図５】いくつかの実施形態にしたがった無線デバイスを示すブロック図
【図６】いくつかの実施形態にしたがった他の例示的な方法を示すフローチャート
【図７Ａ】２レベルのＭＲＳ設定についての例示的な実施形態を示す図
【図７Ｂ】２レベルのＭＲＳ設定についての例示的な実施形態を示す図
【図８】いくつかの実施形態にしたがった一つ以上のネットワークノードの構成の機能的な実装を示すブロック図
【図９】いくつかの実施形態にしたがった無線デバイスの機能的な実装を示すブロック図
【発明を実施するための形態】
【００１４】
本発明の実施形態は２レベル（段階）のシグナリングを使用してＭＲＳ設定とアクティベーションとを取り扱うための、より効率のよい、シグナリングプロシージャを提供する。２レベルのＭＲＳ設定は、（１）ＲＲＣプロトコルがＭＲＳのセットと共にＵＥを設定するために使用される、低速（Ｌ３）設定と、（２）実際のＭＲＳ情報の使用に代えてインデックス化を使用することによってＵＥのためにＲＲＣ設定されたＭＲＳセットのうちの特定の要素をアクティブ化／非アクティブ化するために媒体アクセス制御（ＭＡＣ）プロトコルが使用される、高速（Ｌ２）設定とを有する。ネットワーク判定は、ベンダーにより実装される特定のアルゴリズムをベースとしていてもよい。たとえば、ネットワークは、省エネルギーまたはシグナリンの削減のために、不必要なＭＲＳ測定または測定報告を避けてもよい。
【００１５】
ここで使用されている「モビリティリファレンス信号」、「測定リファレンス信号」および「ＭＲＳ」という用語は、無線ネットワークにおいて送信される信号を指しており、とりわけ、無線デバイスによる測定のためのものであり、ここで測定は、たとえば、あるノードから他のノードへ、または、ある一つのビームから他のものへのハンドオーバなど、モビリティプロシージャにおける使用のためのものである。ＭＲＳは、ＬＴＥにおいて使用されているプライマリ同期信号（ＰＳＳ）およびセカンダリ同期信号（ＳＳＳ）のような、セル固有の同期信号と、設計上および／または目的上、類似している。「ＭＲＳコンフィギュレーション（設定）」という用語は、送信されるＭＲＳによって占有される物理リソース、つまり、時間周波数および／またはコードのリソースを定義し、および／または、ＭＲＳを形成しているシンボル値のシーケンスのように、信号シーケンスを定義するパラメータのセットを指している。ゆえに、たとえば、異なるＭＲＳ設定は異なるＭＲＳのための異なる時間周波数リソースを特定しており、これは、直交周波数分割多重（ＯＦＤＭ）の時間周波数グリッドにおけるリソースエレメントについての異なるパラメータのようなものである。異なるＭＲＳ設定は、代替的に／または追加的に、たとえば、異なるシンボル値のシーケンスを特定するものであってもよい。いくつかのケースによれば、ＭＲＳ設定は、サーチ空間、測定ギャップおよび／または測定周期を示していてもよい。
【００１６】
ここに記述された技術は、ＭＲＳ設定をアクセスノードに対して敵対的なものにすることを許容する。換言すれば、ＵＥは、これらの設定されたＭＲＳ信号が物理的にどのアクセスノードにマッピングされているかを知る必要がない。したがって、これは、Ｌ３メッセージをＵＥに送信することなく、ＵＥに対するトランスペアレントな手法によりＭＲＳが修正されることを許容する。ＵＥが、ＭＲＳの修正または新規のＭＲＳの設定について、ＲＲＣレベルで再設定されるための十分な時間的余裕を有していないときに、これは特に有効であろう。ここに記載された実施形態は、ＵＥがＭＲＳの測定を必要とするときにだけＭＲＳを測定し、特定のＵＥの位置において与えられたＭＲＳについて興味がある場合にそのＭＲＳを測定することをＵＥに可能ならしめる（つまり、ＵＥは設定されたすべてのＭＲＳを測定することを必要とされない）。この技術はモビリティのための削減されたシグナリングのオーバヘッドを使用し、より高速なプロシージャを提供するものであり、ゆえに、５Ｇにおける有用でシームレスなモビリティの要件に着目している。実施形態は、さらに、分離されたアーキテクチャをサポートしており、それによるとベースバンド処理機能間での遅延が非常に短くなるものの、ＢＰＦと無線制御機能（ＲＣＦ）との間の遅延が顕著に増加してしまうが、これはＢＰＦから離れたところに配置されるからである。
【００１７】
図３は無線通信システムにおける構成の一つ以上のネットワークノードにおける各ネットワークノードを代表するネットワークノード３０のブロック図である。ネットワークノード３０は、たとえば、基地局またはｅＮｏｄｅＢなどの、ネットワークアクセスノードである。ネットワークノード３０は、たとえば、アンテナ３７および通信回路３６を介して実装される、ダウンリンク送信およびアップリンク受信のためのＬＴＥエアインタフェースまたはＷＬＡＮエアインタフェースなどの、無線デバイスに対するエアインタフェースを提供する。通信回路４６は、送信回路、受信回路、および、関連する制御回路を有してもよく、これらは集団で、必要に応じてセルラー通信またはＷＬＡＮサービスを提供する目的のために、無線アクセス技術にしたがって、信号を送信および受信するように構成されている。様々な実施形態によれば、セルラー通信サービスは、３ＧＰＰセルラー規格、ＧＳＭ、ＧＰＲＳ、ＷＣＤＭＡ、ＨＳＤＰＡ、ＬＴＥ、およびＬＴＥアドバンスドのいずれか一つ以上にしたがって運用されていてもよい。ネットワークノード３０は、コアネットワークにおけるノード、他のピアの無線ノード、および／または、ネットワークにおける他のタイプのノードと通信するための通信インタフェース回路３８を有してもよい。
【００１８】
さらに、ネットワークノード３０は、通信インタフェース回路３８および／または通信回路３６に関連して動作するとともに制御するように構成された一つ以上の処理回路３２を有している。処理回路３２は、たとえば、一つ以上の、マイクロプロセッサ、マイクロコントローラ、デジタルシグナルプロセッサ（ＤＳＰ）、フィールドプログラマブルゲートアレイ（ＦＰＧＡ）、コンプレックスプログラマブルロジックデバイス（ＣＰＬＤ）、特定用途集積回路（ＡＳＩＣ）、または、これらのいずれかの組み合わせなどを、有する一つ以上のデジタルプロセッサ４２を有している。より一般的には、処理回路３２は、固定回路、または、ここで教示さえる機能を実装したプログラムインストラクションの実行を通じて特別に構成されたプログラマブル回路を有したり、固定およびプログラマブル回路のいくつかの組み合わせを有したりしてもよい。プロセッサ４２はマルチコアであってもよい。
【００１９】
処理回路３２はさらにメモリ４４を有する。いくつかの実施形態によれば、メモリ４４は、一つ以上のコンピュータプログラム４６と、オプションとして、設定データ４８とを記憶する。メモリ４４は、コンピュータプログラム４６のための非一過性の記憶装置であり、これはディスク記憶装置、ソリッドステートメモリ記憶装置またはこれらのいずれかの組み合わせのような、一つ以上のタイプのコンピュータ可読媒体を有してもよい。非限定の例示によって、メモリ４４は、いずれか一つ以上のＳＲＡＭ、ＤＲＡＭ、ＥＥＰＲＯＭおよびＦＬＡＳＨメモリを有してもよく、これらは処理回路３２に含まれていたり、および／または、処理回路３２から分離されていたりしてもよい。一般に、メモリ４４は、ノード３３によって使用されるコンピュータプログラム４６および設定データ４８の非一過性の記憶装置を提供する一つ以上のタイプのコンピュータ可読記憶媒体を有する。ここで「非一過性」とは、永久、半永久、または、少なくとも一時的に持続する記憶を意味し、不揮発性メモリにおける長期間の記憶と、たとえばプログラムの実行のためのワーキングメモリにおける記憶と、の両方を包含する。
【００２０】
いくつか実施形態によれば、無線通信システムにおける構成の一つ以上のネットワークノードのそれぞれは、ネットワークノード３０として機能するように構成されている。よって、いくつかの実施形態によれば、一つ以上のネットワークノード３０の一つ以上の処理回路３２は、無線通信システムにおいて動作する無線デバイス５０に対して、ＭＲＳ設定情報を送信するように構成されており、ＭＲＳ設定情報は、複数のＭＲＳ設定のそれぞれについての一つ以上のパラメータを特定する。一つ以上のネットワークノード３０の一つ以上の処理回路は、無線デバイス５０に対して、ＭＲＳ設定の少なくとも第一の一つが無線デバイス５０によって使用されるべきことを示すアクティベーションコマンドを続いて送信するように構成されており、ここで、アクティベーションコマンドは、複数のＭＲＳ設定のうちからのＭＲＳ設定の第一の一つを識別するインデックスを有する。つまり、いくつかのケースによれば、一つのネットワークノードがＭＲＳ設定情報を送信してもよく、異なるネットワークノードがアクティベーションコマンドを送信してもよい。
【００２１】
特定の実装の詳細にかかわらず、一つ以上のネットワークノード３０の一つ以上の処理回路３２は、図４の方法４００のように、上述された一つ以上の技術にしたがった方法を実行するように構成されている。方法４００は、無線通信システムにおいて動作する無線デバイス５０に、ＭＲＳ設定情報を送信すること（ブロック４０２）を有し、ここで、ＭＲＳ設定情報は、複数のＭＲＳ設定のそれぞれについて一つ以上のパラメータを特定する。方法４００は、さらに、無線デバイス５０に対して、ＭＲＳ設定の少なくとも第一の一つが無線デバイスによって使用されるべきことを示すアクティベーションコマンドを続いて送信すること（ブロック４０４）を有し、ここで、アクティベーションコマンドは、複数のＭＲＳ設定のうちからのＭＲＳ設定の第一の一つを識別するインデックスを有する。
【００２２】
いくつかの実施形態によれば、ＭＲＳ設定情報を送信すること４０２は、無線リソース設定（ＲＲＣ）プロトコルを使用することで実行され、アクティベーションコマンドを送信すること４０４は媒体アクセス制御（ＭＡＣ）プロトコルを使用して実行される。
【００２３】
方法４００は、無線デバイス５０に対して、無線デバイス５０がＭＲＳ設定の第二の一つを使用することを停止すべきことを示すディアクティベーションコマンドを送信することを有し、ここで、ディアクティベーションコマンドは、複数のＭＲＳ設定のうちからのＭＲＳ設定の第二の一つを識別するインデックスを有する。方法４００は、さらに、無線デバイス５０から、一つ以上のネットワークノード３０のうちの一つにおいて、ＭＲＳ設定の第一の一つによって特定されたＭＲＳのための測定データを有する測定報告を受信することを有する。
【００２４】
ＭＲＳ設定の第一の一つは、無線デバイス５０によって測定されるべきである複数のＭＲＳを特定してもよく、ここで各ＭＲＳはＭＲＳ識別情報に対応づけられている。各ＭＲＳ識別情報は、所定のＭＲＳシーケンスに対応づけられていてもよい。
【００２５】
いくつかの実施形態によれば、ＭＲＳ設定の第一の一つは、サーチ空間識別情報を特定してもよく、ここでサーチ空間識別情報は、ＭＲＳ設定の第一の一つによって特定されるＭＲＳの測定を実行するときに、無線デバイス５０によって使用されるべきである複数の送信リソース領域の一つを示している。ＭＲＳ設定の第一の一つは、測定ギャップおよび／または測定周期を特定してもよい。
【００２６】
ＭＲＳ設定情報を送信することは、アクティベーションコマンドを送信するネットワークノードとは異なるネットワークノードによって実行されてもよい。たとえば、ソースアクセスノード７０は、ＵＥ５０に対してＭＲＳ設定情報を送信してもよいが、ＵＥ５０に対するインデックス化されたアクティベーションコマンドまたはディアクティベーションコマンドを送信するのはターゲットアクセスノード８０であってもよい。
【００２７】
図５は、図５においてＵＥ５０として参照される例示的な無線デバイス５０を示しており、これはここで記述される技術を実行するように構成されている。ＵＥ５０は、さらに、ネットワークにおいて動作しうるいずれかの無線デバイスを代表するものとして考慮されてもよい。ここでのＵＥ５０は、無線信号を介してネットワークノードまたは他のＵＥと通信可能ないかなるタイプの無線デバイスであってもよい。ＵＥ５０は、また、様々なコンテキストにおいて、無線通信デバイス、ターゲットデバイス、デバイスツーデバイス（Ｄ２Ｄ）ＵＥ、マシンタイプＵＥ、または、マシンツーマシン（Ｍ２Ｍ）通信可能なＵＥ、ＵＥに搭載されるセンサ、ＰＤＡ（携帯情報端末）、無線タブレット、移動端末、スマートフォン、ラップトップ組み込み済み装置（ＬＥＥ）、ラップトップ搭載済み装置（ＬＭＥ）、無線ＵＳＢドングル、加入者宅内機器（ＣＰＥ）、その他などと呼ばれてもよい。
【００２８】
ＵＥ５０は、アンテナ５４と通信回路５６とを介して、一つ以上のネットワークノード３０のような、一つ以上の無線ノードまたは基地局と通信する。通信回路５６は、送信機回路、受信機回路、および、関連する制御回路を有してもよく、これらは集団で、セルラー通信サービスを提供する目的のために、無線アクセス技術にしたがって、信号を送信および受信するように構成されていてもよい。
【００２９】
さらに、ＵＥ５０は、無線通信回路５６に関連して動作するとともに制御する一つ以上の処理回路５２を有している。処理回路５２は、たとえば、一つ以上のマイクロプロセッサ、マイクロコントローラ、ＤＳＰ、ＦＰＧＡ、ＣＰＬＤ、ＡＳＩＣまたはこれらのいずれかの組み合わせなど、一つ以上のデジタル処理回路を有している。より一般的には、処理回路５２は、固定回路、または、ここで教示される機能を実装したプログラムインストラクションの実行を通じて特別に適合されたプログラマブル回路を有したり、固定およびプログラムされた回路のいくつかの組み合わせを有したりしてもよい。処理回路５２はマルチコアであってもよい。
【００３０】
処理回路５２はさらにメモリ６４を有する。いくつかの実施形態によれば、メモリ６４は、一つ以上のコンピュータプログラム６６と、オプションとして、設定データ６８とを記憶する。メモリ６４は、コンピュータプログラム６６のための非一過性の記憶装置であり、これはディスク記憶装置、ソリッドステートメモリ記憶装置またはこれらのいずれかの組み合わせのような、一つ以上のタイプのコンピュータ可読媒体を有してもよい。非限定の例示によって、メモリ６４は、いずれか一つ以上のＳＲＡＭ、ＤＲＡＭ、ＥＥＰＲＯＭおよびＦＬＡＳＨメモリを有してもよく、これらは処理回路５２に含まれていたり、および／または、処理回路５２から分離されていたりしてもよい。一般に、メモリ６４は、ユーザ装置５０によって使用されるコンピュータプログラム６６およびいずれかの設定データ６８の非一過性の記憶装置を提供する一つ以上のタイプのコンピュータ可読記憶媒体を有する。
【００３１】
よって、いくつかの実施形態によれば、ＵＥ５０の処理回路５２は、無線通信システムにおけるネットワークノード３０からＭＲＳ設定情報を受信するように構成されており、ＭＲＳ設定情報は、複数のＭＲＳ設定情報のそれぞれについての一つ以上のパラメータを特定する。処理回路５２は、さらに、無線通信システムにおけるネットワークノードから、ＭＲＳ設定の少なくとも第一の一つがＵＥ５０によって使用されるべきことを示すアクティベーションコマンドを続いて受信するように構成されており、ここで、アクティベーションコマンドは、複数のＭＲＳ設定のうちからのＭＲＳ設定の第一の一つを識別するインデックスを有する。アクティベーションコマンドは、ＭＲＳ設定情報を送信するネットワークノード３０とは異なるネットワークノードから受信されてもよい。処理回路５２は、さらに、アクティベーションコマンドに応じて、ＭＲＳ設定の第一の一つによって特定された少なくとも一つのＭＲＳをサーチし、少なくとも一つのＭＲＳ上で少なくとも一回の測定を実行するように構成されている。
【００３２】
特定の実装の詳細にかかわらず、ＵＥ５０の処理回路５２は、図６の方法６００のように、記述された一つ以上の技術にしたがった方法を実行するように構成されている。方法６００は、無線通信システムにおけるネットワークノード３０からＭＲＳ設定情報を受信すること（ブロック６０２）を有し、ここで、ＭＲＳ設定情報は、複数のＭＲＳ設定のそれぞれについて一つ以上のパラメータを特定する。方法６００は、無線通信システムにおけるネットワークノードから、ＭＲＳ設定の少なくとも第一の一つがＵＥ５０によって使用されるべきことを示すアクティベーションコマンドを続いて受信すること（ブロック６０４）を有し、ここで、アクティベーションコマンドは、複数のＭＲＳ設定のうちからのＭＲＳ設定の第一の一つを識別するインデックスを有する。方法６００は、さらに、アクティベーションコマンドを受信したことに応じて、ＭＲＳ設定の第一の一つによって特定された少なくとも一つのＭＲＳをサーチすること（ブロック６０６）と、少なくとも一つのＭＲＳ上で少なくとも一回の測定を実行すること（ブロック６０８）と、を有する。
【００３３】
いくつかの実施形態によれば、ＭＲＳ設定情報を受信することは、ＲＲＣプロトコルを使用することで実行され、アクティベーションコマンドを受信することはＭＡＣプロトコルを使用して実行される。
【００３４】
方法６００は、ＵＥ５０がＭＲＳ設定の第二の一つを使用することを停止すべきことを示すディアクティベーションコマンドを受信することと、ＭＲＳ設定の第二の一つによって特定された少なくとも一つのＭＲＳの測定を中止することとを有してもよく、ここで、ディアクティベーションコマンドは、複数のＭＲＳ設定のうちからのＭＲＳ設定の第二の一つを識別するインデックスを有する。方法６００は、ＭＲＳ設定の第一の一つによって特定されたＭＲＳについての測定データを有する測定報告を送信することを有してもよい。
【００３５】
いくつかの実施形態によれば、ＭＲＳ設定の第一の一つは、ＵＥ５０によって測定されるべきである複数のＭＲＳを特定してもよく、ここで各ＭＲＳはＭＲＳ識別情報に対応している。ＭＲＳ設定の第一の一つは、サーチ空間識別情報を特定してもよい。サーチ空間識別情報は、ＭＲＳ設定の第一の一つによって特定されるＭＲＳの測定を実行するときに、ＵＥ５０によって使用されるべきである複数の送信リソース領域の一つを示している。ＭＲＳの第一の一つによって特定された少なくとも一つのＭＲＳをサーチすることは、示された送信リソース領域を使用して、実行されてもよい。ＭＲＳ設定の第一の一つは、測定ギャップおよび／または測定周期を特定してもよい。
【００３６】
図７Ａおよび図７Ｂは無線通信システムにおける２レベルのＭＲＳ設定についての構成１０の例示的な実施形態を示している。この例によれば、ソースアクセスノード７０および／またはターゲットアクセスノード８０はＭＲＳ設定およびアクティベーションを、二つのレイヤーＬ３およびＬ２を使用して実行するが、これは構成１０の一つ以上のネットワークノード３０について説明された通りである。Ｌ３コントロール９０は、ＲＡＮの集中制御部内に配置されてもよいが（例：５Ｇのコンテキストにおけるリモート制御部／無線制御機能（ＲＣＵ／ＲＣＦ））、ＭＲＳの設定とプランニング（計画）の責任を有している。図７Ａと図７Ｂとの双方においてステップ１によって示されているように、Ｌ３コントロール９０は、ＭＲＳ設定のセットを用いてＵＥ５０を設定し、Ｌ３シグナリングによって（例：ＲＲＣプロトコルを使用して）ＭＲＳ設定を搬送する。ステップ２またはその他で、ユーザデータはＵＥ５０とソースアクセスノード７０との間でソースアクセスノード７０内のベースバンド処理機能を用いて送受信されるが、ベースバンド処理機能はユーザデータをパケット処理機能（ＰＰＦ）に転送したり、ＰＰＦからユーザデータを受信したりする。
【００３７】
ステップ３および４でソースおよびターゲットアクセスノード７０、８０は、ＭＲＳ割り当ておよびアクティベーションのリクエストとその確認とを実行する。プロシージャにおけるこの部分はＵＥに対してトランスペアレントである。
【００３８】
ステップ５でＬ２シグナリング（ＭＡＣプロトコル）がＵＥ５０のためのＲＲＣ設定されたＭＲＳセットのうちの特定のＭＲＳ設定をアクティベート（開始）またはディアクティベート（停止）するために使用されるが、これは完全なＭＲＳ設定情報を呼び出す代わりに、各ＭＲＳのインデックスをインジケート（示す）することによって実行される。特定のＭＲＳ設定またはＭＲＳ設定のセットのアクティベーション（およびディアクティベーション）は、分散アーキテクチャを有するアクセスノードにおけるレイヤー２（Ｌ２）、つまり、ＭＡＣレイヤーにおいて取り扱われ、これは、５Ｇのコンテキストにおけるアクセスノードのアンテナの近くに配置される分散ノード内に、たとえば、アクセスノードのベースバンド処理部／ベースバンド処理機能（ＢＰＵ／ＢＰＦ）内に実装されてもよい。これにより、比較的に遅いＲＲＣベースの設定プロシージャと比較して、より高速なＭＲＳアクティベーションおよびディアクティベーションが実現可能となる。これは高速化するだけでなく、制御情報ビットを節約することになる。
【００３９】
ＢＰＵはモビリティを局所的に取り扱うことができるようになるため、事前にＵＥに対してＭＲＳ設定のセットを送信できるようになることと、ＵＥ５０に対してどのＭＲＳをサーチすべきかを選択的に通知できることは、有利であろう。ＢＰＵにこのような柔軟性がもたらされることで、ＭＲＳをどのように、いつ、利用するかについて決定するなど、モビリティを実行する際にスマートな方法で、ＭＲＳが設定可能となる。たとえば、一つ以上のネットワークノード３０は、ＵＥ設定されたＭＲＳのいずれかをアクティベートし、それをＵＥ５０にサーチするように指示しうるが、これにはＲＲＣが関与することがなく、したがってそれによって生じうるラウンドトリップ遅延もなくなる。
【００４０】
アクティベーションまたはディアクティベーションのためにＭＲＳインデックスとともにより高速なＬ２シグナリングを使用することで、ＵＥ５０は、さらに、すべての設定されたＭＲＳを継続的にサーチすることが必要でなくなるため、エネルギーを節約できるようになる。さらに、ＵＥによるコンスタントなサーチまたはアクティベートされたときに実行されるサーチだけのいずれかであるオプションは、より低速な（Ｌ３）ＭＲＳ設定の一部だけでなく、ＲＲＣメッセージ内における設定オプションとなってもよい。
【００４１】
ここに記述された技術にしたがって、ソースアクセスノード７０は、Ｌ３ＭＲＳ設定メッセージを用いてＭＲＳのセットをＵＥ５０に対して積極的に設定することが可能となる。ＭＲＳの実際の割り当ておよびアクティベーションは、後に、ソースアクセスノード７０とターゲットアクセスノード８０との間でＵＥ５０に対してトランスペアレントな手法で、ネゴシエーションできるようになる。ＵＥ５０によって使用されるべきである特定のＭＲＳは、Ｌ３設定に再度関与させる代わりに、Ｌ２アクティベーションメッセージによって単純にインデックス化されるようになるため、ＵＥ５０は、より高速に測定し、ターゲットアクセスノード８０に対して同期を獲得できるようになろう。ＲＲＣに対してシグナリングされるＭＲＳ設定のリストは、たとえば、表１のようになってもよい。
【００４２】
【表１】
2019528010.tif 000003
【００４３】
いくつかの実施形態によれば、リスト内でＭＲＳ  ＩＤにより識別される標準化されたＭＲＳシーケンスのセットが存在してもよい。同様に、リスト内でサーチ空間ＩＤによって識別される、規格にしたがったサーチ空間のリストが存在してもよい。ＭＡＣレベルでの測定のアクティベーションは、たとえば、表１内で示されたテーブルなどのように、ＵＥ５０内で設定されたテーブルにおける所定の行を指し示すインデックス値を有していてもよい。テーブルは、ＭＲＳ信号の多様な組み合わせや、オプションとしてサーチ空間を含むことができるように、適切な長さを有しているが、テーブルはハンドオーバの前にＵＥ５０へシグナリングできるものであるため、相対的なシグナリングのコストが少なくなるように、ＵＥ５０がビームの中央で、かつ、信号が強いような位置にいるときに、テーブルがシグナリングされてもよい。
【００４４】
詳細に上述されたように、ここで説明された技術、たとえば、図４および図６に示されたフローチャートに図示されたように、これらの技術は一つ以上のプロセッサによって実行されるコンピュータプログラムインストラクションを用いて、全体的にまたは部分的に実装されてもよい。これらの技術の機能的な実装は機能モジュールの観点化から表現されてもよく、ここで各機能モジュールは、適切なプロセッサによって実行されるソフトウエアの機能ユニット、または、機能的デジタルハードウエア回路、または、これらの両方の組み合わせのいくつかに、対応していてもよい。
【００４５】
図８は、無線通信システムの一つ以上のネットワークノード３０の構成１０に実装されうる例示的な機能ジュールまたは回路のアーキテクチャを示している。当該実装は、無線通信システムにおいて動作する無線デバイスに、ＭＲＳ設定情報を送信するＭＲＳ設定モジュール８０２を有し、ここで、ＭＲＳ設定情報は、複数のＭＲＳ設定のそれぞれについての一つ以上のパラメータを特定する。実装は、さらに、無線デバイスに対して、ＭＲＳ設定の少なくとも第一の一つが無線デバイスによって使用されるべきことを示すアクティベーションコマンドを続いて送信するアクティベーションモジュール８０４を有し、ここで、アクティベーションコマンドは、複数のＭＲＳ設定のうちからのＭＲＳ設定の第一の一つを識別するインデックスを有する。アクティベーションモジュール８０４はさらに他のネットワークノードに配置されてもよい。
【００４６】
同様に、図９は、ＵＥ５０のような、無線通信システムの無線デバイスに実装されうる例示的な機能モジュールまたは回路のアーキテクチャを示している。当該実装は、無線通信システムにおけるネットワークノードからＭＲＳ設定情報を受信するＭＲＳ設定モジュール９０２を有し、ここで、ＭＲＳ設定情報は、複数のＭＲＳ設定のそれぞれについての一つ以上のパラメータを特定する。当該実装は、さらに、無線通信システムのネットワークノードから、ＭＲＳ設定の少なくとも第一の一つが無線デバイスによって使用されるべきことを示すアクティベーションコマンドを続いて受信するアクティベーションモジュール９０４を有し、ここで、アクティベーションコマンドは、複数のＭＲＳ設定のうちからのＭＲＳ設定の第一の一つを識別するインデックスを有する。当該実装は、アクティベーションコマンドを受信したことに応じて、ＭＲＳ設定の第一の一つによって特定された少なくとも一つのＭＲＳをサーチするサーチモジュール９０６と、少なくとも一つのＭＲＳ上で少なくとも一回の測定を実行する測定モジュール９０８とを有している。
【００４７】
とりわけ、上述の説明や添付の図面に示された教示の利益を有した当業者であれば、ここに開示されたものの変形例や他の実施形態を理解するであろう。したがって、本発明は、開示された特定の実施形態に限定されることはなく、変形例や他の実施形態についても本開示の範囲に含まれることが意図されている。ここでは特定の用語が使用されたものの、一般的で説明的なセンスでもって使用されており、限定の目的では使用されていない。
【図１】
2019528010.tif 000004
【図２】
2019528010.tif 000005
【図３】
2019528010.tif 000006
【図４】
2019528010.tif 000007
【図５】
2019528010.tif 000008
【図６】
2019528010.tif 000009
【図７Ａ】
2019528010.tif 000010
【図７Ｂ】
2019528010.tif 000011
【図８】
2019528010.tif 000012
【図９】
2019528010.tif 000013
【手続補正書】
【提出日】平成31年3月26日(2019.3.26)
【手続補正１】
【補正対象書類名】特許請求の範囲
【補正対象項目名】全文
【補正方法】変更
【補正の内容】
【特許請求の範囲】
【請求項１】
無線通信システムの一つ以上のネットワークノード（３０）における方法（４００）であって、前記方法（４００）は、
前記無線通信システムにおいて動作する無線デバイス（５０）に対して、モビリティまたは測定リファレンス信号（ＭＲＳ）設定情報を送信することであって、前記ＭＲＳ設定情報は、複数のＭＲＳ設定のそれぞれについての一つ以上のパラメータを特定するものである、送信すること（４０２）と、
前記無線デバイス（５０）に対して、前記ＭＲＳ設定の少なくとも第一の一つが前記無線デバイス（５０）によって使用されるべきことを示すアクティベーションコマンドを続いて送信することであって、前記アクティベーションコマンドは、前記複数のＭＲＳ設定のうちからの前記ＭＲＳ設定の前記第一の一つを識別するインデックスを有する、送信すること（４０４）と、を有する、方法。
【請求項２】
請求項１に記載の方法（４００）であって、前記ＭＲＳ設定情報を送信すること（４０２）は、無線リソース設定（ＲＲＣ）プロトコルを使用することで実行され、前記アクティベーションコマンドを送信すること（４０４）は媒体アクセスコントロール（ＭＡＣ）プロトコルを使用して実行される、方法。
【請求項３】
請求項１または２に記載の方法（４００）であって、前記ＭＲＳ設定情報を送信すること（４０２）は、前記アクティベーションコマンドを送信するものとは異なるネットワークノードによって実行される、方法。
【請求項４】
請求項１ないし３のいずれか一項に記載の方法（４００）であっては、さらに、前記無線デバイス（５０）に対して、前記無線デバイス（５０）が前記ＭＲＳ設定の前記第二の一つを使用することを停止すべきことを示すディアクティベーションコマンドを送信することを有し、前記ディアクティベーションコマンドは、前記複数のＭＲＳ設定のうちからの前記ＭＲＳ設定の第二の一つを識別するインデックスを有する、方法。
【請求項５】
請求項１ないし４のいずれか一項に記載の方法（４００）であって、さらに、前記無線デバイス（５０）から、前記一つ以上のネットワークノード（３０）のうちの一つにおいて、前記ＭＲＳ設定の前記第一の一つによって特定されたＭＲＳについての測定データを有する測定報告を受信することを有する、方法。
【請求項６】
請求項１ないし５のいずれか一項に記載の方法（４００）であって、前記ＭＲＳ設定の前記第一の一つは、前記無線デバイス（５０）によって測定されるべきである複数のＭＲＳを特定しており、各ＭＲＳはＭＲＳ識別情報に対応している、方法。
【請求項７】
請求項６に記載の方法（４００）であって、各ＭＲＳ識別情報は予め定められたＭＲＳシーケンスに対応している、方法。
【請求項８】
請求項１ないし７のいずれか一項に記載の方法（４００）であって、前記ＭＲＳ設定の前記第一の一つは、サーチ空間識別情報を特定しており、前記サーチ空間識別情報は、前記ＭＲＳ設定の前記第一の一つによって特定されるＭＲＳの測定を実行するときに、前記無線デバイス（５０）によって使用されるべきである複数の送信リソース領域の一つを示している、方法。
【請求項９】
請求項１ないし８のいずれか一項に記載の方法（４００）であって、前記ＭＲＳ設定の前記第一の一つは、測定ギャップと測定周期とのうちの一つ以上を特定する、方法。
【請求項１０】
無線通信システムにおいて動作する無線デバイス（５０）における方法（６００）であって、前記方法（６００）は、
前記無線通信システムにおけるネットワークノード（３０）から、モビリティまたは測定リファレンス信号（ＭＲＳ）設定情報を受信することであって、前記ＭＲＳ設定情報は、複数のＭＲＳ設定のそれぞれについての一つ以上のパラメータを特定するものである、受信すること（６０２）と、
前記無線通信システムにおけるネットワークノードから、前記ＭＲＳ設定の少なくとも第一の一つが前記無線デバイス（５０）によって使用されるべきことを示すアクティベーションコマンドを続いて受信することであって、前記アクティベーションコマンドは、前記複数のＭＲＳ設定のうちからの前記ＭＲＳ設定の前記第一の一つを識別するインデックスを有する、受信すること（６０４）と、
前記アクティベーションコマンドを受信したことに応答して前記ＭＲＳ設定の前記第一の一つによって特定された少なくとも一つのＭＲＳをサーチすること（６０６）と、
前記少なくとも一つのＭＲＳで少なくとも一回の測定を実行すること（６０８）と、を有する、方法。
【請求項１１】
請求項１０に記載の方法（６００）であって、前記ＭＲＳ設定情報を受信すること（６０２）は、無線リソース設定（ＲＲＣ）プロトコルを使用することで実行され、前記アクティベーションコマンドを受信すること（６０４）は媒体アクセスコントロール（ＭＡＣ）プロトコルを使用して実行される、方法。
【請求項１２】
請求項１０または１１に記載の方法（６００）であって、前記ＭＲＳ設定情報を受信すること（６０２）は、前記アクティベーションコマンドを受信するものとは異なるネットワークノードからのものである、方法。
【請求項１３】
請求項１０ないし１２のいずれか一項に記載の方法（６００）であって、さらに、
前記無線デバイス（５０）が前記ＭＲＳ設定の第二の一つを使用することを停止すべきことを示すディアクティベーションコマンドを受信することを有し、前記ディアクティベーションコマンドは、前記複数のＭＲＳ設定のうちからの前記ＭＲＳ設定の前記第二の一つを識別するインデックスを有する、受信することと、
前記ＭＲＳ設定の前記第二の一つによって特定される少なくとも一つのＭＲＳの測定を中止すること、を有する、方法。
【請求項１４】
請求項１０ないし１３のいずれか一項に記載の方法（６００）であって、前記方法（６００）は、さらに、前記ＭＲＳ設定の前記第一の一つによって特定されたＭＲＳについての測定データを有する測定報告を送信することを有する、方法。
【請求項１５】
請求項１０ないし１４のいずれか一項に記載の方法（６００）は、前記ＭＲＳ設定の前記第一の一つは、前記無線デバイス（５０）によって測定されるべきである複数のＭＲＳを特定しており、各ＭＲＳはＭＲＳ識別情報に対応している、方法。
【請求項１６】
請求項１０ないし１５のいずれか一項に記載の方法（６００）であって、前記ＭＲＳ設定の前記第一の一つは、サーチ空間識別情報を特定しており、前記サーチ空間識別情報は、前記ＭＲＳ設定の前記第一の一つによって特定されるＭＲＳの測定を実行するときに、前記無線デバイス（５０）によって使用されるべきである複数の送信リソース領域の一つを示しており、前記ＭＲＳ設定の前記第一の一つによって特定される前記少なくとも一つＭＲＳのサーチ（６０６）は、前記示された送信リソース領域を使用して実行される、方法。
【請求項１７】
請求項１０ないし１６のいずれか一項に記載の方法（６００）であって、前記ＭＲＳ設定の前記第一の一つは、測定ギャップと測定周期とのうちの一つ以上を特定する、方法。
【請求項１８】
無線通信システムにおける一つ以上のネットワークノード（３０）内の装置であって、請求項１ないし９のいずれか一つに記載の方法（４００）を実行するように適合した、装置。
【請求項１９】
無線通信システムの無線デバイス（５０）であって、請求項１０ないし１７のいずれか一つに記載の方法（６００）を実行するように適合した、無線デバイス。
【請求項２０】
処理回路（３２、５２）で実行されると前記処理回路（３２、５２）に請求項１ないし１７のいずれか一項に記載された方法（４００、６００）を実行させるインストラクションを有する、コンピュータプログラム（４６、６６）。
【請求項２１】
請求項２０に記載されたコンピュータプログラム（４６、６６）を含むキャリアであって、当該キャリアはコンピュータ可読記憶媒体である、キャリア。
【手続補正書】
【提出日】令和1年5月29日(2019.5.29)
【手続補正１】
【補正対象書類名】特許請求の範囲
【補正対象項目名】全文
【補正方法】変更
【補正の内容】
【特許請求の範囲】
【請求項１】
無線通信システムの一つ以上のネットワークノード（３０）における方法（４００）であって、前記方法（４００）は、
前記無線通信システムにおいて動作する無線デバイス（５０）に対して、モビリティまたは測定リファレンス信号（ＭＲＳ）設定情報を送信することであって、前記ＭＲＳ設定情報は、複数のＭＲＳ設定のそれぞれについての一つ以上のパラメータを特定するものである、送信すること（４０２）と、
前記無線デバイス（５０）に対して、前記ＭＲＳ設定の少なくとも第一の一つが前記無線デバイス（５０）によって使用されるべきことを示すアクティベーションコマンドを送信することであって、前記アクティベーションコマンドは、前記複数のＭＲＳ設定のうちからの前記ＭＲＳ設定の前記第一の一つを識別するインデックスを有する、送信すること（４０４）と、を有する、方法。
【請求項２】
請求項１に記載の方法（４００）であって、前記ＭＲＳ設定情報を送信すること（４０２）は、無線リソース設定（ＲＲＣ）プロトコルを使用することで実行され、前記アクティベーションコマンドを送信すること（４０４）は媒体アクセスコントロール（ＭＡＣ）プロトコルを使用して実行される、方法。
【請求項３】
請求項１または２に記載の方法（４００）であって、前記ＭＲＳ設定情報を送信すること（４０２）は、前記アクティベーションコマンドを送信するものとは異なるネットワークノードによって実行される、方法。
【請求項４】
請求項１ないし３のいずれか一項に記載の方法（４００）であっては、さらに、前記無線デバイス（５０）に対して、前記無線デバイス（５０）が前記ＭＲＳ設定の第二の一つを使用することを停止すべきことを示すディアクティベーションコマンドを送信することを有し、前記ディアクティベーションコマンドは、前記複数のＭＲＳ設定のうちからの前記ＭＲＳ設定の前記第二の一つを識別するインデックスを有する、方法。
【請求項５】
請求項１ないし４のいずれか一項に記載の方法（４００）であって、さらに、前記無線デバイス（５０）から、前記一つ以上のネットワークノード（３０）のうちの一つにおいて、前記ＭＲＳ設定の前記第一の一つによって特定されたＭＲＳについての測定データを有する測定報告を受信することを有する、方法。
【請求項６】
請求項１ないし５のいずれか一項に記載の方法（４００）であって、前記ＭＲＳ設定の前記第一の一つは、前記無線デバイス（５０）によって測定されるべきである複数のＭＲＳを特定しており、各ＭＲＳはＭＲＳ識別情報に対応している、方法。
【請求項７】
請求項６に記載の方法（４００）であって、各ＭＲＳ識別情報は予め定められたＭＲＳシーケンスに対応している、方法。
【請求項８】
請求項１ないし７のいずれか一項に記載の方法（４００）であって、前記ＭＲＳ設定の前記第一の一つは、サーチ空間識別情報を特定しており、前記サーチ空間識別情報は、前記ＭＲＳ設定の前記第一の一つによって特定されるＭＲＳの測定を実行するときに、前記無線デバイス（５０）によって使用されるべきである複数の送信リソース領域の一つを示している、方法。
【請求項９】
請求項１ないし８のいずれか一項に記載の方法（４００）であって、前記ＭＲＳ設定の前記第一の一つは、測定ギャップと測定周期とのうちの一つ以上を特定する、方法。
【請求項１０】
無線通信システムにおいて動作する無線デバイス（５０）における方法（６００）であって、前記方法（６００）は、
前記無線通信システムにおけるネットワークノード（３０）から、モビリティまたは測定リファレンス信号（ＭＲＳ）設定情報を受信することであって、前記ＭＲＳ設定情報は、複数のＭＲＳ設定のそれぞれについての一つ以上のパラメータを特定するものである、受信すること（６０２）と、
前記無線通信システムにおけるネットワークノードから、前記ＭＲＳ設定の少なくとも第一の一つが前記無線デバイス（５０）によって使用されるべきことを示すアクティベーションコマンドを受信することであって、前記アクティベーションコマンドは、前記複数のＭＲＳ設定のうちからの前記ＭＲＳ設定の前記第一の一つを識別するインデックスを有する、受信すること（６０４）と、
前記ＭＲＳ設定の前記第一の一つによって特定された前記少なくとも一つのＭＲＳで少なくとも一回の測定を実行すること（６０８）と、を有する、方法。
【請求項１１】
請求項１０に記載の方法（６００）であって、前記ＭＲＳ設定情報を受信すること（６０２）は、無線リソース設定（ＲＲＣ）プロトコルを使用することで実行され、前記アクティベーションコマンドを受信すること（６０４）は媒体アクセスコントロール（ＭＡＣ）プロトコルを使用して実行される、方法。
【請求項１２】
請求項１０または１１に記載の方法（６００）であって、前記ＭＲＳ設定情報を受信すること（６０２）は、前記アクティベーションコマンドを受信するものとは異なるネットワークノードからのものである、方法。
【請求項１３】
請求項１０ないし１２のいずれか一項に記載の方法（６００）であって、さらに、
前記無線デバイス（５０）が前記ＭＲＳ設定の第二の一つを使用することを停止すべきことを示すディアクティベーションコマンドを受信することであって、前記ディアクティベーションコマンドは、前記複数のＭＲＳ設定のうちからの前記ＭＲＳ設定の前記第二の一つを識別するインデックスを有する、受信することと、
前記ＭＲＳ設定の前記第二の一つによって特定される少なくとも一つのＭＲＳの測定を中止すること、を有する、方法。
【請求項１４】
請求項１０ないし１３のいずれか一項に記載の方法（６００）であって、前記方法（６００）は、さらに、前記ＭＲＳ設定の前記第一の一つによって特定されたＭＲＳについての測定データを有する測定報告を送信することを有する、方法。
【請求項１５】
請求項１０ないし１４のいずれか一項に記載の方法（６００）は、前記ＭＲＳ設定の前記第一の一つは、前記無線デバイス（５０）によって測定されるべきである複数のＭＲＳを特定しており、各ＭＲＳはＭＲＳ識別情報に対応している、方法。
【請求項１６】
請求項１０ないし１５のいずれか一項に記載の方法（６００）であって、前記ＭＲＳ設定の前記第一の一つは、サーチ空間識別情報を特定しており、前記サーチ空間識別情報は、前記ＭＲＳ設定の前記第一の一つによって特定されるＭＲＳの測定を実行するときに、前記無線デバイス（５０）によって使用されるべきである複数の送信リソース領域の一つを示しており、前記ＭＲＳ設定の前記第一の一つによって特定される前記少なくとも一つのＭＲＳのサーチ（６０６）は、前記示された送信リソース領域を使用して実行される、方法。
【請求項１７】
請求項１０ないし１６のいずれか一項に記載の方法（６００）であって、前記ＭＲＳ設定の前記第一の一つは、測定ギャップと測定周期とのうちの一つ以上を特定する、方法。
【請求項１８】
無線通信システムにおける一つ以上のネットワークノード（３０）内の装置であって、請求項１ないし９のいずれか一項に記載の方法（４００）を実行するように適合した、装置。
【請求項１９】
無線通信システムの無線デバイス（５０）であって、請求項１０ないし１７のいずれか一項に記載の方法（６００）を実行するように適合した、無線デバイス。
【請求項２０】
処理回路（３２、５２）で実行されると前記処理回路（３２、５２）に請求項１ないし１７のいずれか一項に記載された方法（４００、６００）を実行させるインストラクションを有する、コンピュータプログラム（４６、６６）。
【請求項２１】
請求項２０に記載されたコンピュータプログラム（４６、６６）を含むキャリアであって、当該キャリアはコンピュータ可読記憶媒体である、キャリア。
【国際調査報告】
2019528010.tif 000014
2019528010.tif 000015